【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
音楽再生装置における音楽再生方法であって、
楽曲データ中における再生位置を示す部分再生位置情報と当該再生位置の楽曲に対するコメントを示すコメント情報とからなる部分メタ情報を、当該楽曲データの複数の部分につきそれぞれ有する時系列メタ情報を取得し、
当該楽曲データの再生時、前記時系列メタ情報を参照して、ディスプレイ上に前記それぞれのコメント情報で示されるコメントを表示する音楽再生方法。
【請求項２】
請求項１の音楽再生方法において、
前記時系列メタ情報のうちの複数の部分メタ情報で定義される再生位置が少なくともその一部が互いに重なるときには、それぞれのコメントを同時に表示する音楽再生方法。
【請求項３】
請求項１の音楽再生方法において、
当該楽曲の楽曲データおよび前記時系列メタ情報は、ネットワークを介して接続した配信サーバから取得する音楽再生方法。
【請求項４】
請求項１の音楽再生方法において、
当該楽曲の楽曲データおよび前記時系列メタ情報は、当該音楽再生装置が備える、または当該音楽再生装置に装着または接続される記憶装置部に記録されている音楽再生方法。
【請求項５】
請求項１の音楽再生方法において、
当該楽曲の楽曲データおよび前記時系列メタ情報のうちの一方は、当該音楽再生装置が備える、または当該音楽再生装置に装着または接続される記憶装置部に記録されており、他方は、ネットワークを介して接続した配信サーバから取得する音楽再生方法。
【請求項６】
請求項１の音楽再生方法において、
楽曲再生時、当該楽曲の一再生位置を指示してなされた、その再生位置の楽曲に対するコメント入力操作に応じて、当該楽曲中におけるその再生位置を示す部分再生位置情報と、その再生位置の楽曲に対するコメントを示すコメント情報とからなるユーザ部分メタ情報を生成するステップをさらに備える音楽再生方法。
【請求項７】
請求項６の音楽再生方法において、
ネットワークを介して情報収集元のサーバに接続して、当該サーバに前記ユーザ部分メタ情報を送信する音楽再生方法。
【請求項８】
楽曲データを再生する再生手段と、
当該楽曲データ中における再生位置を示す部分再生位置情報と当該再生位置の楽曲に対するコメントを示すコメント情報とからなる部分メタ情報を、当該楽曲データの複数の部分につきそれぞれ有する時系列メタ情報を取得する取得手段と、
当該楽曲データの再生時、前記時系列メタ情報を参照して、ディスプレイ上に前記それぞれのコメント情報で示されるコメントを表示する制御手段と、
を備える音楽再生装置。
【請求項９】
請求項８の音楽再生装置において、
前記制御手段は、前記時系列メタ情報のうちの複数の部分メタ情報で定義される再生位置が少なくともその一部が互いに重なるときには、それぞれのコメントを同時に表示する音楽再生装置。
【請求項１０】
請求項８の音楽再生装置において、
ネットワークを介して配信サーバに接続して、当該サーバから当該楽曲の楽曲データまたは前記時系列メタ情報を取得する手段を備える音楽再生装置。
【請求項１１】
請求項８の音楽再生装置において、
前記再生手段による楽曲再生時、当該楽曲の一再生位置に対応づけて、その再生位置の楽曲に対するコメントを入力するための入力手段を備え、
前記制御手段は、前記入力手段によってコメントが入力されたときには、その部分の当該楽曲中における再生位置を示す部分再生位置情報と、その再生位置の楽曲に対する当該コメントを示すコメント情報とからなるユーザ部分メタ情報を生成する音楽再生装置。
【請求項１２】
請求項１１の音楽再生装置において、
ネットワークを介して情報収集元のサーバに接続して、当該サーバに前記ユーザ部分メタ情報を送信する手段を備える音楽再生装置。
【請求項１３】
楽曲データの複数の部分に対するコメントを呈示するために、コンピュータを、
楽曲データ中における再生位置を示す部分再生位置情報と当該再生位置の楽曲に対するコメントを示すコメント情報とからなる部分メタ情報を、当該楽曲データの複数の部分につきそれぞれ有する時系列メタ情報を取得し、
当該楽曲データの再生時、前記時系列メタ情報を参照して、ディスプレイ上に前記それぞれのコメント情報で示されるコメントを表示する手段、
として機能させるためのプログラム。
【手続補正２】
【補正対象書類名】明細書
【補正対象項目名】０００９
【補正方法】変更
【補正の内容】
【０００９】
この発明の音楽再生方法は、
音楽再生装置における音楽再生方法であって、
楽曲データ中における再生位置を示す部分再生位置情報と当該再生位置の楽曲に対するコメントを示すコメント情報とからなる部分メタ情報を、当該楽曲データの複数の部分につきそれぞれ有する時系列メタ情報を取得し、
当該楽曲データの再生時、前記時系列メタ情報を参照して、ディスプレイ上に前記それぞれのコメント情報で示されるコメントを表示する方法である。
【手続補正３】
【補正対象書類名】明細書
【補正対象項目名】００１０
【補正方法】変更
【補正の内容】
【００１０】
上記の音楽再生方法では、例えば、当該楽曲の時系列メタ情報が３つの部分メタ情報からなる場合、１番目の部分再生位置情報で示される楽曲部分が再生される期間で、ディスプレイ上に、１番目のコメント情報によって「歌い出しがよい」というようなコメントが表示され、２番目の部分再生位置情報で示される楽曲部分が再生される期間で、ディスプレイ上に、２番目のコメント情報によって「サビが楽曲『○○』に似ている」というようなコメントが表示され、３番目の部分再生位置情報で示される楽曲部分が再生される期間で、ディスプレイ上に、３番目のコメント情報によって「エンディングで急に転調する」というようなコメントが表示される。
【手続補正４】
【補正対象書類名】明細書
【補正対象項目名】００１５
【補正方法】変更
【補正の内容】
【００１５】
記憶装置部２１は、音楽再生装置１０に内蔵される半導体メモリやハードディスクなどの内部記憶装置、または音楽再生装置１０に装着または接続される光ディスクやメモリカードなどの記憶媒体からデータを読み出す外部記憶装置で、これらの記憶媒体には、楽曲データや時系列メタ情報などのデータが記録される。
【手続補正５】
【補正対象書類名】明細書
【補正対象項目名】００２０
【補正方法】変更
【補正の内容】
【００２０】
［２．音楽再生方法：図２〜図９］
（２−１．時系列メタ情報：図２）
時系列メタ情報は、原則的に、当該楽曲の一部分の当該楽曲中におけるタイミング位置（再生位置）を示す部分再生位置情報と当該部分に対するコメントを示すコメント情報とからなる部分メタ情報を、当該楽曲の異なる部分につき複数、有するものとする。
【手続補正６】
【補正対象書類名】明細書
【補正対象項目名】００２５
【補正方法】変更
【補正の内容】
【００２５】
それぞれの部分メタ情報Ｍ１，Ｍ２，‥‥Ｍ７は、部分再生位置情報およびコメント情報からなり、それぞれの部分再生位置情報は、楽曲Ｓａにおける当該部分（当該期間）の開始位置（開始時点）および終了位置（終了時点）を示し、それぞれのコメント情報は、当該部分に対するコメントを示す。
【手続補正７】
【補正対象書類名】明細書
【補正対象項目名】００３９
【補正方法】変更
【補正の内容】
【００３９】
そして、再生開始後、最初の部分メタ情報Ｍ１中の部分再生位置情報で示される、部分Ｐ１の開始位置に達したら、部分Ｐ１についてのコメント情報によって、図３に示すように、再生状況表示画面９中において、再生位置マーカー７に関連づけて、上記の「歌い出しがよい」というコメントＣ１を表示する。コメントＣ１は、部分Ｐ１の終了時点まで表示する。
【手続補正８】
【補正対象書類名】明細書
【補正対象項目名】００４０
【補正方法】変更
【補正の内容】
【００４０】
次に、ＣＰＵ１１は、それぞれ部分メタ情報Ｍ２，Ｍ３，Ｍ４，Ｍ５中の部分再生位置情報で示される、それぞれ部分Ｐ２，Ｐ３，Ｐ４，Ｐ５の開始位置に達したら、それぞれ部分Ｐ２，Ｐ３，Ｐ４，Ｐ５についてのコメント情報によって、図４に示すように、再生状況表示画面９中において、それぞれ再生位置マーカー７に関連づけて、それぞれコメントＣ２，Ｃ３，Ｃ４，Ｃ５を表示する。コメントＣ２，Ｃ３，Ｃ４，Ｃ５も、それぞれ部分Ｐ２，Ｐ３，Ｐ４，Ｐ５の終了時点まで表示する。
【手続補正９】
【補正対象書類名】明細書
【補正対象項目名】００４１
【補正方法】変更
【補正の内容】
【００４１】
次に、ＣＰＵ１１は、それぞれ部分メタ情報Ｍ６，Ｍ７中の部分再生位置情報で示される、それぞれ部分Ｐ６，Ｐ７の開始位置に達したら、それぞれ部分Ｐ６，Ｐ７についてのコメント情報によって、図５に示すように、再生状況表示画面９中において、それぞれ再生位置マーカー７に関連づけて、それぞれコメントＣ６，Ｃ７を表示する。コメントＣ６，Ｃ７も、それぞれ部分Ｐ６，Ｐ７の終了時点まで表示する。
【手続補正１０】
【補正対象書類名】明細書
【補正対象項目名】００５９
【補正方法】変更
【補正の内容】
【００５９】
（２−４．ユーザ部分メタ情報：図８および図９）
図１の例の音楽再生装置１０では、上記のように楽曲の再生に同期して当該楽曲の各部に対するコメントを表示できるだけでなく、楽曲再生時、ユーザが当該楽曲の一部分を指示し、その部分に対するコメントを入力することによって、その部分の当該楽曲中における再生位置を示す部分再生位置情報と、その部分に対するコメントを示すコメント情報とからなるユーザ部分メタ情報が生成される。
【手続補正１１】
【補正対象書類名】明細書
【補正対象項目名】００６３
【補正方法】変更
【補正の内容】
【００６３】
ユーザがコメント入力欄３にコメントを入力すると、音楽再生装置１０のＣＰＵ１１は、ユーザが指示した部分の当該楽曲中における再生位置を示す部分再生位置情報と、その部分に対するコメントを示すコメント情報とからなる、図２に示した部分メタ情報Ｍ１〜Ｍ７と同様の構造のユーザ部分メタ情報を生成する。
【手続補正１２】
【補正対象書類名】図面
【補正対象項目名】図２
【補正方法】変更
【補正の内容】
【図２】
2008004134.tif 000001